(57)【要約】【課題】光源からの光に含まれる紫外線による劣化を抑制することができ、且つ、輝度ムラを抑制することができる光学フィルムを提供する。【解決手段】光学フィルム８は、紫外線吸収剤１６及び光拡散剤１８を含有するフィルム本体１０を備え、フィルム本体１０の第１の領域２０における紫外線吸収剤１６及び光拡散剤１８の各々の含有量はそれぞれ、フィルム本体１０の第１の領域２０に隣接する第２の領域２２における紫外線吸収剤１６及び光拡散剤１８の各々の含有量よりも多い。【選択図】図３
2017134132.tif 000002
【特許請求の範囲】
【請求項１】
光源からの光を拡散させるための光学フィルムであって、
紫外線吸収剤及び光拡散剤を含有するフィルム本体を備え、
前記フィルム本体の第１の領域における前記紫外線吸収剤及び前記光拡散剤の各々の含有量はそれぞれ、前記フィルム本体の前記第１の領域に隣接する第２の領域における前記紫外線吸収剤及び前記光拡散剤の各々の含有量よりも多い
光学フィルム。
【請求項２】
前記フィルム本体は、
透光性を有するフィルム状の基材と、
前記紫外線吸収剤及び前記光拡散剤を含有し、前記光源に対向する前記基材の第１の面を被覆する第１のコーティング層と、を有する
請求項１に記載の光学フィルム。
【請求項３】
前記第１のコーティング層の前記第１の領域における前記紫外線吸収剤及び前記光拡散剤の各々の密度はそれぞれ、前記第１のコーティング層の前記第２の領域における前記紫外線吸収剤及び前記光拡散剤の各々の密度よりも高い
請求項２に記載の光学フィルム。
【請求項４】
前記第１のコーティング層の前記第１の領域における厚みは、前記第１のコーティング層の前記第２の領域における厚みよりも大きい
請求項２に記載の光学フィルム。
【請求項５】
前記フィルム本体は、さらに、紫外線吸収剤を含有し、前記基材の前記第１の面と反対側の第２の面を被覆する第２のコーティング層を有する
請求項２〜４のいずれか１項に記載の光学フィルム。
【請求項６】
光源からの光を導くための導光板であって、
紫外線吸収剤及び光拡散剤を含有する導光板本体を備え、
前記導光板本体の第１の領域における前記紫外線吸収剤及び前記光拡散剤の各々の含有量はそれぞれ、前記導光板本体の前記第１の領域に隣接する第２の領域における前記紫外線吸収剤及び前記光拡散剤の各々の含有量よりも多い
導光板。
【請求項７】
光を発する光源と、
前記光源からの光を拡散させる、請求項１〜５のいずれか１項に記載の光学フィルムと、を備え、
前記光学フィルムの前記光源に最も近い第１の領域における紫外線吸収剤及び光拡散剤の各々の含有量はそれぞれ、前記光学フィルムの前記第１の領域よりも前記光源から離れた第２の領域における前記紫外線吸収剤及び前記光拡散剤の各々の含有量よりも多い
照明装置。
【請求項８】
光を発する光源と、
前記光源からの光を導く、請求項６に記載の導光板と、を備え、
前記導光板の前記光源に最も近い第１の領域における紫外線吸収剤及び光拡散剤の各々の含有量はそれぞれ、前記導光板の前記第１の領域よりも前記光源から離れた第２の領域における前記紫外線吸収剤及び前記光拡散剤の各々の含有量よりも多い
照明装置。
【発明の詳細な説明】
【技術分野】
【０００１】
本発明は、光学フィルム、導光板及びこれらを備えた照明装置に関する。
【背景技術】
【０００２】
光源からの光を拡散させるための光学フィルムが知られている（例えば、特許文献１参照）。この光学フィルムは、光拡散層と、光拡散層に積層された透明樹脂層とを備えている。光拡散層は、屈折率の異なる複数種類の樹脂で形成されている。光源は、例えば白色ＬＥＤ（Ｌｉｇｈｔ  Ｅｍｉｔｔｉｎｇ  Ｄｉｏｄｅ）等であり、光学フィルムに対向する位置に配置されている。
【先行技術文献】
【特許文献】
【０００３】
【特許文献１】特開２００３−３０２６２９号公報
【発明の概要】
【発明が解決しようとする課題】
【０００４】
しかしながら、上述した従来の光学フィルムでは、次のような課題が生じる。第１に、光学フィルムの光源に近い領域では、光源からの光に含まれる紫外線の影響を受けやすいため、長期に亘る使用により光学フィルムが劣化（ひび割れ又は変色等）するという課題が生じる。第２に、光学フィルムの発光面からの光の照射強度は、発光面の光源に近い領域では比較的強く、発光面の光源から遠い領域では比較的弱くなるため、光学フィルムの発光面に輝度ムラが生じるという課題が生じる。
【０００５】
本発明は、このような課題に鑑みてなされたものであり、光源からの光に含まれる紫外線による劣化を抑制することができ、且つ、輝度ムラを抑制することができる光学フィルム、導光板及び照明装置を提供することを目的とする。
【課題を解決するための手段】
【０００６】
上記課題を解決するために、本発明の一態様に係る光学フィルムは、光源からの光を拡散させるための光学フィルムであって、紫外線吸収剤及び光拡散剤を含有するフィルム本体を備え、前記フィルム本体の第１の領域における前記紫外線吸収剤及び前記光拡散剤の各々の含有量はそれぞれ、前記フィルム本体の前記第１の領域に隣接する第２の領域における前記紫外線吸収剤及び前記光拡散剤の各々の含有量よりも多い。
【０００７】
また、本発明の一態様に係る導光板は、光源からの光を導くための導光板であって、紫外線吸収剤及び光拡散剤を含有する導光板本体を備え、前記導光板本体の第１の領域における前記紫外線吸収剤及び前記光拡散剤の各々の含有量はそれぞれ、前記導光板本体の前記第１の領域に隣接する第２の領域における前記紫外線吸収剤及び前記光拡散剤の各々の含有量よりも多い。
【発明の効果】
【０００８】
本発明の一態様に係る光学フィルム等によれば、光源からの光に含まれる紫外線による劣化を抑制することができ、且つ、輝度ムラを抑制することができる。
【図面の簡単な説明】
【０００９】
【図１】実施の形態１に係る照明装置を示す分解斜視図である。
【図２】実施の形態１に係る照明装置の断面図である。
【図３】光学フィルムに含まれる紫外線吸収剤及び光拡散剤の分布を模式的に示す、実施の形態１に係る照明装置の断面図である。
【図４】光学フィルムに含まれる紫外線吸収剤及び光拡散剤の分布を模式的に示す、実施の形態２に係る照明装置の断面図である。
【図５】光学フィルムに含まれる紫外線吸収剤及び光拡散剤の分布を模式的に示す、実施の形態３に係る照明装置の断面図である。
【図６】実施の形態４に係る照明装置を示す分解斜視図である。
【図７】導光板に含まれる紫外線吸収剤及び光拡散剤の分布を模式的に示す、実施の形態４に係る照明装置の断面図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態１）
以下、実施の形態１に係る光学フィルム及び照明装置について説明する。
【００１３】
［１−１．照明装置の構成］
まず、図１及び図２を参照しながら、実施の形態１に係る照明装置２の構成について説明する。図１は、実施の形態１に係る照明装置２を示す分解斜視図である。図２は、実施の形態１に係る照明装置２の断面図である。
【００１４】
図１及び図２に示すように、照明装置２は、器具本体（図示せず）、基板４、複数の光源６、光学フィルム８及び照明カバー（図示せず）を備えている。
【００１５】
器具本体は、基板４を支持するための筐体である。器具本体は、例えばアルミニウム板又は鋼板等の板金をプレス加工することによって、所定の形状に成形される。
【００１６】
基板４は、複数の光源６を実装するためのプリント配線基板であり、Ｘ−Ｙ平面視で矩形状に形成されている。基板４上には、銅箔パターンで形成された配線パターン（図示せず）が配置されている。なお、基板４としては、例えば、樹脂基板、メタルベース基板、セラミック基板、紙フェノール基板又はガラス基板等を用いることができる。
【００１７】
複数の光源６の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。複数の光源６は、基板４の配線パターンに格子状に実装されている。複数の光源６の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００１８】
このように、複数の光源６の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして光源６から白色光が出射される。なお、複数の光源６の各々から出射される白色光には、紫外線が含まれている。
【００１９】
光学フィルム８は、複数の光源６の各々からの光を拡散させるためのフィルムである。光学フィルム８は、Ｘ−Ｙ平面視で矩形状に形成され、複数の光源６に対向する位置に配置されている。本実施の形態の照明装置２では、光学フィルム８の構成に特徴がある。光学フィルム８の構成については次項で詳述する。
【００２０】
照明カバーは、複数の光源６を覆うための外カバーであり、透光性を有する樹脂材料で形成されている。照明カバーは、例えば平板状に形成され、器具本体の開口部に着脱自在に取り付けられる。照明カバーの内面（すなわち、器具本体側の面）には、上述した光学フィルム８が取り付けられている。複数の光源６の各々からの光は、光学フィルム８で拡散された後に、光学フィルム８の発光面８ａから出射する。光学フィルム８の発光面８ａからの拡散光は、照明カバーを透過して照明装置２の外部に取り出される。
【００２１】
［１−２．光学フィルムの構成］
次に、図２及び図３を参照しながら、光学フィルム８の構成について説明する。図３は、光学フィルム８に含まれる紫外線吸収剤１６及び光拡散剤１８の分布を模式的に示す、実施の形態１に係る照明装置２の断面図である。なお、説明の都合上、図３では、第１のコーティング層１４のハッチングの図示を省略してある。
【００２２】
図２に示すように、光学フィルム８は、フィルム本体１０を備えている。フィルム本体１０は、基材１２と、基材１２の第１の面１２ａ（すなわち、複数の光源６に対向する側の面）を被覆する第１のコーティング層１４とを有している。
【００２３】
基材１２は、複数の光源６の各々からの光を透過させるためのフィルムである。基材１２は、透光性を有する樹脂材料、例えばアクリル（ＰＭＭＡ）、ポリエチレンテレフタレート（ＰＥＴ）又はポリカーボネート（ＰＣ）等で形成されている。基材１２のＺ軸方向における厚みは、例えば約５０μｍである。なお、基材１２の第１の面１２ａと反対側の第２の面１２ｂは、拡散光が出射する発光面８ａとして機能する。
【００２４】
第１のコーティング層１４は、複数の光源６の各々からの光を拡散させ、且つ、これらの光に含まれる紫外線を吸収するためのコーティング層である。第１のコーティング層１４は、透光性を有する樹脂材料、例えばアクリル（ＰＭＭＡ）で形成されている。第１のコーティング層１４のＺ軸方向における厚みは、基材１２の全域に亘ってほぼ均一であり、例えば約２０〜３０μｍである。
【００２５】
図３に示すように、第１のコーティング層１４は、紫外線吸収剤１６及び光拡散剤１８を含有している。なお、図３において、紫外線吸収剤１６を黒色の丸（●）で表し、光拡散剤１８を白色の丸（○）で表している。紫外線吸収剤１６は、光源６からの光に含まれる紫外線を吸収するためのものであり、例えばベンゾトリアゾール系のＵＶＡ（Ｕｌｔｒａ  Ｖｉｏｌｅｔ  Ａｂｓｏｒｂｅｒ）又はベンゾフェノン系のＵＶＡ等で形成されている。光拡散剤１８は、光源６からの光を拡散させるためのものであり、例えば酸化チタン等で形成されている。
【００２６】
図３に示すように、第１のコーティング層１４の光源６に最も近い第１の領域２０における紫外線吸収剤１６及び光拡散剤１８の各々の密度はそれぞれ、第１のコーティング層１４の第１の領域２０よりも光源６から離れた（すなわち、第１の領域２０に隣接する）第２の領域２２における紫外線吸収剤１６及び光拡散剤１８の各々の密度よりも高い。換言すると、第１のコーティング層１４の第１の領域２０における紫外線吸収剤１６及び光拡散剤１８の各々の含有量はそれぞれ、第１のコーティング層１４の第２の領域２２における紫外線吸収剤１６及び光拡散剤１８の各々の含有量よりも多い。なお、第１のコーティング層１４の第１の領域２０は、複数の光源６の各々に対応して格子状に配置されている。
【００２７】
ここで、第１のコーティング層１４を基材１２の第１の面１２ａに形成する方法について説明する。例えばグラビア印刷又はインクジェットにより、紫外線吸収剤１６及び光拡散剤１８を含有する樹脂塗料を基材１２の第１の面１２ａに塗布する。このとき、例えば第１のコーティング層１４の第１の領域２０に樹脂塗料を二度塗りすることにより、第１のコーティング層１４の第１の領域２０における紫外線吸収剤１６及び光拡散剤１８の各々の密度がそれぞれ、第１のコーティング層１４の第２の領域２２における紫外線吸収剤１６及び光拡散剤１８の各々の密度よりも高くなる。以上のようにして、基材１２の第１の面１２ａには、樹脂塗料によって第１のコーティング層１４が形成される。
【００２８】
［１−３．効果］
以上説明したように、本実施の形態の光学フィルム８は、光源６からの光を拡散させるための光学フィルムである。光学フィルム８は、紫外線吸収剤１６及び光拡散剤１８を含有するフィルム本体１０を備える。フィルム本体１０の第１の領域２０における紫外線吸収剤１６及び光拡散剤１８の各々の含有量はそれぞれ、フィルム本体１０の第１の領域２０に隣接する第２の領域２２における紫外線吸収剤１６及び光拡散剤１８の各々の含有量よりも多い。
【００２９】
これによれば、フィルム本体１０の第１の領域２０は光源６に最も近い領域であるので、光源６からの光に含まれる紫外線の照射量が比較的多い。そのため、フィルム本体１０の第１の領域２０における紫外線吸収剤１６の含有量を比較的多くすることによって、光源６からの光に含まれる紫外線を紫外線吸収剤１６により効率良く吸収することができる。その結果、光学フィルム８が光源６からの光に含まれる紫外線により劣化するのを抑制することができる。
【００３０】
一方、フィルム本体１０の第２の領域２２は第１の領域２０よりも光源６から離れた領域であるので、光源６からの光に含まれる紫外線の照射量が比較的少ない。このとき、仮にフィルム本体１０の第２の領域２２における紫外線吸収剤１６の含有量が比較的多い場合には、光源６からの光に含まれる青色の波長成分が繰り返し除去されることにより、発光面８ａからの光が黄みを帯びた白色光になるおそれがある。そのため、本実施の形態では、フィルム本体１０の第２の領域２２における紫外線吸収剤１６の含有量を比較的少なくすることによって、光源６からの光に含まれる青色の波長成分が繰り返し除去されるのを抑制することができ、発光面８ａからの光が黄みを帯びた白色光になるのを抑制することができる。
【００３１】
また、フィルム本体１０の第１の領域２０は光源６に最も近い領域であるので、光源６からの光の照射量が比較的多い。そのため、フィルム本体１０の第１の領域２０における光拡散剤１８の含有量を比較的多くすることによって、光源６からの光を光拡散剤１８により効率良く拡散させることができる。その結果、光学フィルム８の発光面８ａの第１の領域２０に対応する領域からの光の照射強度を緩和することができ、発光面８ａに輝度ムラが生じるのを抑制することができる。
【００３２】
さらに、フィルム本体１０は、透光性を有するフィルム状の基材１２と、紫外線吸収剤１６及び光拡散剤１８を含有し、光源６に対向する基材１２の第１の面１２ａを被覆する第１のコーティング層１４とを有する。
【００３３】
これによれば、光源６からの光に含まれる紫外線は、第１のコーティング層１４の紫外線吸収剤１６により吸収された後に基材１２を透過するので、光学フィルム８が光源６からの光に含まれる紫外線により劣化するのをより効果的に抑制することができる。
【００３４】
さらに、第１のコーティング層１４の第１の領域２０における紫外線吸収剤１６及び光拡散剤１８の各々の密度はそれぞれ、第１のコーティング層１４の第２の領域２２における紫外線吸収剤１６及び光拡散剤１８の各々の密度よりも高い。
【００３５】
これによれば、上述と同様に、光学フィルム８が光源６からの光に含まれる紫外線により劣化するのを抑制することができ、且つ、発光面８ａに輝度ムラが生じるのを抑制することができる。
【００３６】
また、本実施の形態の照明装置２は、光を発する光源６と、光源６からの光を拡散させる、上述したいずれかの光学フィルム８とを備える。光学フィルム８の光源６に最も近い第１の領域２０における紫外線吸収剤１６及び光拡散剤１８の各々の含有量はそれぞれ、光学フィルム８の第１の領域２０よりも光源６から離れた第２の領域２２における紫外線吸収剤１６及び光拡散剤１８の各々の含有量よりも多い。
【００３７】
これによれば、上述と同様に、光学フィルム８が光源６からの光に含まれる紫外線により劣化するのを抑制することができ、且つ、発光面８ａに輝度ムラが生じるのを抑制することができる。
【００３８】
（実施の形態２）
［２−１．照明装置の構成］
次に、図４を参照しながら、実施の形態２に係る照明装置２Ａの構成について説明する。図４は、光学フィルム８Ａに含まれる紫外線吸収剤１６及び光拡散剤１８の分布を模式的に示す、実施の形態２に係る照明装置２Ａの断面図である。なお、説明の都合上、図４では、第１のコーティング層１４Ａのハッチングの図示を省略してある。以下に示す各実施の形態では、上記実施の形態１と同一の構成要素には同一の符号を付して、その説明を省略する。
【００３９】
図５に示すように、本実施の形態の照明装置２Ａでは、光学フィルム８Ａのフィルム本体１０Ａの構成が上記実施の形態１と異なっている。具体的には、第１のコーティング層１４Ａの第１の領域２０は、基材１２の第１の面１２ａと略平行な面を有し、第２の領域２２は、基材１２の第１の面１２ａに対して傾斜する面を有している。これにより、第１のコーティング層１４Ａの第１の領域２０における厚みＤ１は、第１のコーティング層１４Ａの第２の領域２２における厚みＤ２よりも大きくなる。なお、例えばグラビア印刷又はインクジェットによって第１のコーティング層１４Ａの第１の領域２０に樹脂塗料を複数回塗布することにより、厚みＤ１を厚みＤ２よりも大きくすることができる。
【００４０】
さらに、第１のコーティング層１４Ａにおける紫外線吸収剤１６及び光拡散剤１８の各々の密度は、第１のコーティング層１４Ａの全域に亘ってほぼ均一である。その結果、第１のコーティング層１４Ａの第１の領域２０における紫外線吸収剤１６及び光拡散剤１８の各々の含有量はそれぞれ、第１のコーティング層１４Ａの第２の領域２２における紫外線吸収剤１６及び光拡散剤１８の各々の含有量よりも多くなる。
【００４１】
［２−２．効果］
以上説明したように、本実施の形態の光学フィルム８Ａでは、第１のコーティング層１４Ａの第１の領域２０における厚みＤ１は、第１のコーティング層１４Ａの第２の領域２２における厚みＤ２よりも大きい。
【００４２】
これによれば、上記実施の形態１と同様に、光学フィルム８Ａが光源６からの光に含まれる紫外線により劣化するのを抑制することができ、且つ、発光面８ａに輝度ムラが生じるのを抑制することができる。
【００４３】
（実施の形態３）
［３−１．照明装置の構成］
次に、図５を参照しながら、実施の形態３に係る照明装置２Ｂの構成について説明する。図５は、光学フィルム８Ｂに含まれる紫外線吸収剤１６及び光拡散剤１８の分布を模式的に示す、実施の形態３に係る照明装置２Ｂの断面図である。なお、説明の都合上、図５では、第２のコーティング層２４のハッチングの図示を省略してある。
【００４４】
図５に示すように、本実施の形態の照明装置２Ｂでは、光学フィルム８Ｂのフィルム本体１０Ｂの構成が上記実施の形態２と異なっている。具体的には、フィルム本体１０Ｂは、基材１２の第２の面１２ｂを被覆する第２のコーティング層２４を有している。なお、基材１２の第１の面１２ａは、上記実施の形態２で説明した第１のコーティング層１４Ａで被覆されている。
【００４５】
第２のコーティング層２４は、照明装置２Ｂの外部から照明カバー（図示せず）を透過した外光に含まれる紫外線を吸収するためのコーティング層である。第２のコーティング層２４は、透光性を有する樹脂材料、例えばアクリル（ＰＭＭＡ）で形成されている。第２のコーティング層２４のＺ軸方向における厚みは、基材１２の全域に亘ってほぼ均一であり、例えば約１０〜３０μｍである。
【００４６】
第２のコーティング層２４は、紫外線吸収剤２６を含有している。なお、図５において、紫外線吸収剤２６を黒色の丸（●）で表している。紫外線吸収剤２６は、紫外線吸収剤１６と同様に、例えばベンゾトリアゾール系のＵＶＡ又はベンゾフェノン系のＵＶＡ等で形成されている。紫外線吸収剤２６の密度は、第２のコーティング層２４の全域に亘ってほぼ均一である。
【００４７】
［３−２．効果］
以上説明したように、本実施の形態の光学フィルム８Ｂでは、フィルム本体１０Ｂは、さらに、紫外線吸収剤２６を含有し、基材１２の第１の面１２ａと反対側の第２の面１２ｂを被覆する第２のコーティング層２４を有する。
【００４８】
これによれば、照明装置２Ｂの外部からの外光が照明カバーを透過して第２のコーティング層２４に入射した場合であっても、外光に含まれる紫外線を第２のコーティング層２４の紫外線吸収剤２６により吸収することができる。その結果、光学フィルム８Ｂが外光に含まれる紫外線により劣化するのを抑制することができる。
【００４９】
（実施の形態４）
［４−１．照明装置の構成］
次に、図６及び図７を参照しながら、実施の形態４に係る照明装置２Ｃの構成について説明する。図６は、実施の形態４に係る照明装置２Ｃを示す分解斜視図である。図７は、導光板２８に含まれる紫外線吸収剤１６及び光拡散剤１８の分布を模式的に示す、実施の形態４に係る照明装置２Ｃの断面図である。なお、説明の都合上、図７では、導光部３４及びコーティング層３６の各々のハッチングの図示を省略してある。
【００５０】
図６及び図７に示すように、照明装置２Ｃは、例えば、住宅等の建物の天井に設置されるシーリングライトである。照明装置２Ｃは、器具本体（図示せず）、基板４Ｃ、複数の光源６、導光板２８及び照明カバー（図示せず）を備えている。器具本体、複数の光源６及び照明カバーはそれぞれ、上記実施の形態１で説明した器具本体、複数の光源６及び照明カバーと同様であるため、説明を省略する。
【００５１】
基板４Ｃは、長尺状の矩形状に形成されている。複数の光源６は、基板４Ｃの長手方向（Ｙ軸方向）に沿って間隔を置いて配置されている。
【００５２】
導光板２８は、複数の光源６の各々からの光を照明カバーへ導くための導光板である。導光板２８は、Ｘ−Ｙ平面視で矩形状に形成されている。図７に示すように、導光板２８の側面２８ａは、複数の光源６に対向する位置に配置されている。導光板２８の発光面２８ｂ（側面２８ａに直交する面）は、照明カバーに対向する位置に配置されている。導光板２８の背面２８ｃ（発光面２８ｂと反対側の面）には、光を反射するための反射シート３０が取り付けられている。
【００５３】
図７に示すように、導光板２８は、導光板本体３２を備えている。導光板本体３２は、導光部３４と、導光部３４の第１の面３４ａを被覆するコーティング層３６とを有している。
【００５４】
導光部３４は、透光性を有する樹脂材料、例えばアクリル等で形成されている。導光部３４のＺ軸方向における厚みは、例えば約１０ｍｍである。
【００５５】
コーティング層３６は、複数の光源６の各々からの光を拡散させ、且つ、これらの光に含まれる紫外線を吸収するためのコーティング層である。コーティング層３６は、透光性を有する樹脂材料、例えばアクリル（ＰＭＭＡ）で形成されている。コーティング層３６のＺ軸方向における厚みは、導光板本体３２の全域に亘ってほぼ均一であり、例えば約２０〜３０μｍである。なお、コーティング層３６の表面は、導光板２８の発光面２８ｂとして機能する。
【００５６】
コーティング層３６は、上記実施の形態１の第１のコーティング層１４と同様に、紫外線吸収剤１６及び光拡散剤１８を含有している。コーティング層３６の光源６に最も近い第１の領域３８における紫外線吸収剤１６及び光拡散剤１８の各々の密度はそれぞれ、コーティング層３６の第１の領域３８よりも光源６から離れた（すなわち、第１の領域３８に隣接する）第２の領域４０における紫外線吸収剤１６及び光拡散剤１８の各々の密度よりも高い。換言すると、コーティング層３６の第１の領域３８における紫外線吸収剤１６及び光拡散剤１８の各々の含有量はそれぞれ、コーティング層３６の第２の領域４０における紫外線吸収剤１６及び光拡散剤１８の各々の含有量よりも多い。なお、コーティング層３６は、上記実施の形態１で説明した第１のコーティング層１４の形成方法と同様の方法で形成される。
【００５７】
複数の光源６の各々からの光は、導光板２８の側面２８ａに入射する。導光板２８の側面２８ａに入射した光は、導光板２８の内部を伝播して反射シート３０で反射した後に、コーティング層３６で拡散されて発光面２８ｂから出射する。発光面２８ｂから出射した拡散光は、照明カバーを透過して照明装置２Ｃの外部に取り出される。
【００５８】
［４−２．効果］
以上説明したように、本実施の形態の導光板２８は、光源６からの光を導くための導光板である。導光板２８は、紫外線吸収剤１６及び光拡散剤１８を含有する導光板本体３２を備える。導光板本体３２の第１の領域３８における紫外線吸収剤１６及び光拡散剤１８の各々の含有量はそれぞれ、導光板本体３２の第１の領域３８に隣接する第２の領域４０における紫外線吸収剤１６及び光拡散剤１８の各々の含有量よりも多い。
【００５９】
これによれば、導光板本体３２の第１の領域３８は光源６に最も近い領域であるので、光源６からの光に含まれる紫外線の照射量が比較的多い。そのため、導光板本体３２の第１の領域３８における紫外線吸収剤１６の含有量を比較的多くすることによって、光源６からの光に含まれる紫外線を紫外線吸収剤１６により効率良く吸収することができる。その結果、導光板２８が光源６からの光に含まれる紫外線により劣化するのを抑制することができる。
【００６０】
一方、導光板本体３２の第２の領域４０は第１の領域３８よりも光源６から離れた領域であるので、光源６からの光に含まれる紫外線の照射量が比較的少ない。このとき、仮に導光板本体３２の第２の領域４０における紫外線吸収剤１６の含有量が比較的多い場合には、光源６からの光に含まれる青色の波長成分が繰り返し除去されることにより、発光面２８ｂからの光が黄みを帯びた白色光になるおそれがある。そのため、本実施の形態では、導光板本体３２の第２の領域４０における紫外線吸収剤１６の含有量を比較的少なくすることによって、光源６からの光に含まれる青色の波長成分が繰り返し除去されるのを抑制することができ、発光面２８ｂからの光が黄みを帯びた白色光になるのを抑制することができる。
【００６１】
また、導光板本体３２の第１の領域３８は光源６に最も近い領域であるので、光源６からの光の照射量が比較的多い。そのため、導光板本体３２の第１の領域３８における光拡散剤１８の含有量を比較的多くすることによって、光源６からの光を光拡散剤１８により効率良く拡散させることができる。その結果、導光板２８の発光面２８ｂの第１の領域３８に対応する領域からの光の照射強度を緩和することができ、発光面２８ｂに輝度ムラが生じるのを抑制することができる。
【００６２】
さらに、本実施の形態の照明装置２Ｃは、光を発する光源６と、光源６からの光を導く、上述した導光板２８とを備える。導光板２８の光源６に最も近い第１の領域３８における紫外線吸収剤１６及び光拡散剤１８の各々の含有量はそれぞれ、導光板２８の第１の領域３８よりも光源６から離れた第２の領域４０における紫外線吸収剤１６及び光拡散剤１８の各々の含有量よりも多い。
【００６３】
これによれば、上述と同様に、導光板２８が光源６からの光に含まれる紫外線により劣化するのを抑制することができ、且つ、発光面２８ｂに輝度ムラが生じるのを抑制することができる。
【００６４】
（他の変形例等）
以上、本発明について実施の形態１〜４に基づいて説明したが、本発明は、上記各実施の形態に限定されるものではない。
【００６５】
例えば、上記実施の形態１〜３では、第１のコーティング層１４（１４Ａ）が紫外線吸収剤１６及び光拡散剤１８を含有するように構成したが、第１のコーティング層１４（１４Ａ）を省略し、基材１２に紫外線吸収剤１６及び光拡散剤１８を練り込むように構成してもよい。同様に、上記実施の形態４では、コーティング層３６が紫外線吸収剤１６及び光拡散剤１８を含有するように構成したが、コーティング層３６を省略し、導光部３４に紫外線吸収剤１６及び光拡散剤１８を練り込むように構成してもよい。
【００６６】
例えば、上記各実施の形態では、光源６の実装構造をＳＭＤ構造としたが、例えばＬＥＤチップが基板４（４Ｃ）上に直接実装されたＣＯＢ（Ｃｈｉｐ  Ｏｎ  Ｂｏａｒｄ）構造としてもよい。
【００６７】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００６８】
２，２Ａ，２Ｂ，２Ｃ  照明装置
６  光源
８，８Ａ，８Ｂ  光学フィルム
１０，１０Ａ，１０Ｂ  フィルム本体
１２  基材
１２ａ，３４ａ  第１の面
１２ｂ  第２の面
１４，１４Ａ  第１のコーティング層
１６，２６  紫外線吸収剤
１８  光拡散剤
２０，３８  第１の領域
２２，４０  第２の領域
２４  第２のコーティング層
２８  導光板
３２  導光板本体
【図１】
2017134132.tif 000003
【図２】
2017134132.tif 000004
【図３】
2017134132.tif 000005
【図４】
2017134132.tif 000006
【図５】
2017134132.tif 000007
【図６】
2017134132.tif 000008
【図７】
2017134132.tif 000009